(57)【要約】【課題】  ショーケースで生成されるドレン水処理のための、施工手間、維持管理手間を省力化し、更に設置後も容易にショーケースを移動させることが可能となるようなショーケース用の排水装置を提供することを課題とする。【解決手段】  ショーケース本体内部または前記ショーケース本体側面に除霜などに伴い生成したドレン水を貯留するための容器と、生成したドレン水を前記容器に排水する配管と、前記容器に溜まったドレン水を前記容器内から排出するポンプとで構成した。【選択図】  図１
2005331171.tif 000002
【特許請求の範囲】
【請求項１】
冷凍・冷蔵用のショーケース本体内部または前記ショーケース本体側面に除霜などに伴い生成したドレン水を貯留するための容器と、生成したドレン水を前記容器に排水する配管と、前記容器に溜まったドレン水を前記容器内から排出するポンプとで構成されたことを特徴とするショーケース用の排水装置。
【請求項２】
前記配管は、複数の冷凍・冷蔵ショーケースのドレン水を一箇所の容器に流入するように構成されていることを特徴とする請求項１記載のショーケース用の排水装置。
【請求項３】
前記容器内のドレン水の水位を検知する水位検知手段と、前記水位検知手段の検知情報に基づいてポンプの作動を制御する制御部とを設けたことを特徴とする請求項１または請求項２記載のショーケース用の排水装置。
【発明の詳細な説明】
【技術分野】
【０００１】
本発明は、店舗に設置される冷凍・冷蔵用ショーケースのドレン水を排出する装置にに係り、特に店舗など複数の冷凍・冷蔵用ショーケースのドレン水を排水するのに好適な排水装置に関する発明である。 
【背景技術】
【０００２】
従来の店舗に設置される冷凍・冷蔵用ショーケースのドレン水の排水は、排水管を床、基礎貫通して排出していた。この方法では、設置・撤去の施工が大掛かりになり、特に既設ビルへの店舗改修時には、床、基礎をはつり工事が発生していた。更に一旦設置すると容易に設置位置を変えられないなどの問題があった。そこで特許文献１に見られるように、可搬式の容器と生成されるドレン水蒸発させる手段を設け、排水にかかわる施工を不要とするものが提案されている。しかし、蒸発手段を設けることにより頻度はすくなくなるとはいえ、定期的に容器内のドレン水を処理する手間、装置の複雑化による、故障、メンテナンスなどの煩わしさがあるといった問題があった。
【特許文献１】特開平１０−２８１６２７
【発明の開示】
【発明が解決しようとする課題】
【０００３】
本発明は、上記問題を解決するためになされたもので、本発明の課題は、冷凍・冷蔵ショーケースで生成されるドレン水処理のための、施工手間、維持管理手間を省力化し、更に設置後も容易にショーケースを移動させることが可能となり、レイアウト変更に有利であるとともに、不要となった時も簡単に撤去できるといったメリットがある。
【課題を解決するための手段】
【０００４】
上記目的を達成するために請求項１記載の発明によれば、冷凍・冷蔵用のショーケース本体内部または前記ショーケース本体側面に除霜などに伴い生成したドレン水を貯留するための容器と、生成したドレン水を前記容器に排水する配管と、前記容器に溜まったドレン水を前記容器内から排出するポンプとで構成されたことを特徴とするショーケース用の排水装置とすることにより、各ショーケースごとに床、土台を貫通することなく冷凍・冷蔵ショーケースの設置を可能とし、設置の施工性を改善することができる。また、ポンプにより容器内のドレン水を排水するので定期的な排水作業の手間を省くととともにオーバーフローなどのトラブルも解消する。また、排水を一旦容器に排水すれば、容器から汚水桝への排水は、ポンプ動力に送水されるため、勾配をきにすることなく、配管径も細くすることが可能となり配管敷設の自由度が改善される。
【０００５】
また、請求項２記載の発明のよれば、前記配管は、複数の冷凍・冷蔵ショーケースのドレン水を一箇所の容器に流入するように構成されていることを特徴とする請求項１記載のショーケース用の排水装置とすることで、複数台のショーケースに対し各機器に容器を設ける必要がなく効率的である。また洗面排水、シンク排水も容器に合流させるように配管すれば洗面、シンクの設置も簡単な施工で設置できるというメリットもある。また、洗面排水、シンク排水の排水配管も排水を一旦容器に排水すれば、容器から汚水桝への排水は、ポンプ動力に送水されるため、勾配をきにすることなく、配管径も細くすることが可能となり配管敷設の自由度が改善される。
【０００６】
また、請求項３記載の発明のよれば、前記容器内のドレン水の水位を検知する水位検知手段と、前記水位検知手段の検知情報に基づいてポンプの作動を制御する制御部とを設けたことを特徴とする請求項１、請求項２のショーケース用の排水装置とすることで、不規則に容器内に流入する排水を自動的に排水するのでメンテナンスをフリーにすることが可能となる。
【発明の効果】
【０００７】
本発明によれば、床下の配管施工が不要となり、冷凍・冷蔵ショーケースの設置施工が簡便になり、可搬式容器のように定期的に貯留水を捨てるなどのメンテナンスも不要となる。また設置後のレイアウト変更や撤去工事も容易に行える。また冷凍・冷蔵ショーケース以外の洗面排水、シンク排水も容器に合流させることにより各機器の排水工事を簡略化することができ、後付けを容易にするといった効果がある。
【発明を実施するための最良の形態】
【０００８】
図１に本発明の実施例を示す店舗平面図を記載する。店舗１内には、平面図左側にカウンター部２が設置され、カウンター部２の壁側にシンク３と手洗い器４が備え付けられている。店舗１内平面図上部には壁にそって冷蔵オープンショーケース５が複数台連続して床上に設置されている。カウンター部２設置側壁と冷蔵オープンショーケース設置側壁で形成されるコーナー部には容器７ａが床上に備え付けられ、複数の冷蔵オープンショーケース５とシンク３、手洗い器４の排水は、各機器からヘッド差で容器７ａに排水されるように、導水配管６ａ、６ｂが配設されている。
【０００９】
冷蔵オープンショーケース５、カウンター部２内の排水機器から排水された排水は導水配管６ａ、６ｂをとうして容器７ａに流入する。容器内に溜まった排水は、定期的にポンプを作動させて排水配管８をとうして汚水桝９ａに排出させる。ポンプ作動の作業を省くために、容器７ａ内には流入した排水の水位を検知する水位センサと、水位センサからの水位信号でポンプの作動を制御する制御部が備え付けられ、水位が所定水位に達すると容器内にセットされた排水ポンプが制御部の制御信号により作動し、排水配管８をとうして店舗１外の汚水桝９ａへ搬送・排出されるようにしても構わない。その場合、ポンプ作動から一定時間経過するか、水位センサが容器内所定水位以下になるとポンプは停止する。
【００１０】
同様に本実施例では店舗１内の平面図右側下部に化粧室１０内に洗面台１２が備え付けられ、右側側面にはウォークイン１１が設置され、洗面台１２の排水とウォークイン１１のドレン水を別の容器７ｂに流入するように配管を構成している。汚水桝９ｂまでの搬送・排出工程は同様なので省略する。
【００１１】
図２は本発明に使用する容器７の構造を示したもので、容器７本体内には浸漬可能なポンプ１３、流入水の水位を検知する水位センサ１４、水位センサ１４の信号を元にポンプ作動を制御する制御部１５で構成される。容器７には排水機器からの排水を流入させる導入管６と容器７から汚水桝へ排水を排出・搬送する排出配管８が繋がっている。本図では、容器７への導入管６を一本にしているが複数の排水機器が合流している場合機器毎に導水配管を容器７に繋げてもよい。
【図面の簡単な説明】
【００１２】
【図１】本発明の配管、排水機器、容器のレイアウトを示す店舗内平面図である。
【図２】本発明に使用する排水を溜める容器を示す構造斜視図である。
【符号の説明】
【００１３】
１…店舗
２…カウンター部
３…シンク
４…手洗い機
５…冷蔵オープンショーケース
６ａ、６ｂ…導水配管
７ａ、７ｂ…容器
８…排水配管
９ａ、９ｂ…汚水桝
１０…化粧室
１１…ウォークイン
１２…洗面台
１３…ポンプ
１４…水位センサ
１５…制御部
１６…ポンプ電源コード
１７…電源コード
【図１】
2005331171.tif 000003
【図２】
2005331171.tif 000004